(57)【要約】【課題】  少ない部品点数で容易に製造できる駆動伝達切換機構を提供する。【解決手段】  駆動伝達切換機構は、主動ギア１と、該主動ギア１に噛合するアイドラギア２とを備える。主動ギア１とアイドラギア２とは軸間距離が一定となり、且つ、主動ギア１の軸中心を中心としてアイドラギア２を主動ギア１の円周方向に回動可能に固定する支持部材３により支持されている。アイドラギア２は駆動力を伝達する円周面に歯を備えた駆動力伝達部２２と、該駆動力伝達部２２よりも径の大きい基部２１とからなる。この基部２１の円周面には、所定の柔軟性を有する板バネ４がアイドラギア２側を外周側として湾曲した状態で当接されている。【選択図】  図１
2006015685.tif 000002
【特許請求の範囲】
【請求項１】
印刷するカラー画像を色分解して、イエロ画像、マゼンタ画像、およびシアン画像の３つの画像を生成する色分解手段と、
用紙を用紙搬送路に沿って往復動させる用紙搬送手段と、
前記色分解手段により生成された前記イエロ画像、マゼンタ画像、およびシアン画像の３色の画像に応じて、イエロ、マゼンタ、およびシアンの領域が順次現れるインクリボンを前記用紙の熱転写させる熱転写手段と、
前記インクリボンを所定方向に搬送するリボン搬送手段と、
前記用紙搬送手段に伝達される駆動力を前記リボン搬送手段に搬送するかどうかを切り換える駆動伝達切換機構と、
これらの各部全てを内蔵する筐体とを備えたカラープリンタにおいて、
前記駆動伝達切換機構は、
前記駆動力が伝達されて前記用紙搬送手段に駆動力を伝達する第１ギアと、
該第１ギアから所定距離離れた位置に配置され、前記リボン搬送手段に前記駆動力を伝達する第２ギアと、
前記第１ギアと噛合するとともに、該第１ギアの回転により移動することで前記第２ギアとの噛合を切り換える駆動力伝達部と、柔軟性部材からなるトルク発生手段に当接する部材当接部とを含むアイドリングギアと、
前記アイドリングギアと前記第１ギアとを支持する支持体と、
前記筐体に一体形成された所定硬度の板バネであり、前記第１ギアの回転により前記アイドリングギアに回動用トルクを発生するトルク発生手段と、を備えたことを特徴とするカラープリンタ。
【請求項２】
駆動源からの駆動力が伝達される第１ギアと、
該第１ギアから所定距離離れた位置に配置された第２ギアと、
前記第１ギアと噛合するアイドリングギアと、
該アイドリングギアと前記第１ギアとを支持する支持体と、
前記第１ギアの回転により前記アイドリングギアに回動用トルクを発生するトルク発生手段と、を備えた駆動伝達切換機構において、
前記トルク発生手段は、前記アイドリングギアの円周面に所定圧で当接する柔軟性部材であることを特徴とする駆動伝達切換機構。
【請求項３】
前記アイドリングギアは、前記第１ギアに噛合する駆動力伝達部と、前記柔軟性部材に当接する部材当接部とを含む請求項２に記載の駆動伝達切換機構。
【請求項４】
前記柔軟性部材は所定硬度の板バネである請求項２または請求項３に記載の駆動伝達切換機構。
【請求項５】
前記駆動伝達切換機構を構成する各部の略全てを覆う筐体を備え、前記柔軟性部材が前記筐体に一体形成されている請求項２〜請求項４のいずれかに記載の駆動伝達切換機構。
【発明の詳細な説明】
【技術分野】
【０００１】
この発明は、用紙搬送系の回転をインクリボン搬送系に伝達するかどうかを切り換える駆動伝達切換機構と、この駆動伝達切換機構を備え、用紙の搬送とインクリボンの搬送とを制御し、インクリボンを用いて用紙に所定の画像を形成するカラープリンタに関するものである。
【背景技術】
【０００２】
従来、イエロ、マゼンタ、シアンのインクリボンを用いて、カラー画像を用紙に印刷するカラープリンタが一般に普及している。この種のカラープリンタは、印刷するカラー画像を色分解して、イエロ画像（以下、Ｙ画像と言う。）、マゼンタ画像（以下、Ｍ画像と言う。）、およびシアン画像（以下、Ｃ画像と言う。）の３つの画像を生成し、これらの画像を種々の方法により用紙に重ねて印刷することにより、用紙にカラー画像を形成する構成である。
【０００３】
ところで、このようなカラー画像をインクリボンを用いて形成する熱転写方式のカラープリンタでは、インクリボンの構造から各色毎に用紙へ画像を転写する。この際、インクリボンは、各色の領域が順次繋がる構造であるので、所定方向にのみ搬送すればよいが、用紙は、同じ領域のそれぞれ３色の画像形成（転写）を行わなければならないので、用紙を用紙搬送路に対して往復動させなければならない。このため、これら用紙の搬送とインクリボンの搬送とを１つのモータの駆動力により行うには、これら２つの搬送系の動作を連動させるか、一方のみ（用紙搬送のみ）を動作させるかを切り換える駆動伝達切換機構を備えなければならない。
【０００４】
このような駆動伝達切換機構は、首振りアイドラ装置とも呼ばれ、１つの駆動力源で２系統以上の駆動部を同期・非同期で駆動させるものであり、従来、各種の装置で用いられている（例えば、特許文献１、特許文献２、特許文献３参照。）。
【０００５】
例えば、従来の駆動伝達切換機構として、図５に示すような構造のものがある。
【０００６】
図５（ａ）は従来の駆動伝達切換機構の概略構成を示す正面図であり、図５（ｂ）はその側面図である。なお、インクリボン搬送系のギアについては図示を省略する。
【０００７】
用紙搬送系の搬送ローラを駆動する主動ギア１は、アイドラギア２とそれぞれの円周面に形成された歯により噛合している。そして、これら主動ギア１とアイドラギア２とは、支持部材３により回転可能に固定されている。具体的には、主動ギア１が主動軸３１により支持基板３０に回転可能に固定され、アイドラギア２が副動軸３２により支持基板３０に回転可能に固定されている。アイドラギア２と支持基板３０との間には、スプリング４が配置されている。
【０００８】
このような構造では、主動ギア１が回転すると、この回転がアイドラギア２に伝達される。この際、スプリング４がアイドラギア２と支持基板３０との間に配置されていることで、アイドラギア２が回転するとスプリング４による摩擦力により支持基板３０とアイドラギア２とが主動ギア１に対して回動する。この動作を用い、リボン搬送系のギアを主動ギア１から所定方向に所定距離の位置（アイドラギア２が噛合可能な位置）に配置することで、主動ギア１の回転に応じて、アイドラギア２がリボン搬送系のギアに噛合する位置に移動したり、逆にアイドラギア２がリボン搬送系のギアに噛合しない位置に移動する。これを利用し、用紙搬送系とリボン搬送系との動作を１つの駆動力発生源（モータ）で制御する。
【特許文献１】特開昭６０−７３１６４号公報
【特許文献２】特開平９−５０６５９号公報
【特許文献３】特開平６−１９５８１５号公報
【発明の開示】
【発明が解決しようとする課題】
【０００９】
図５に示すような従来の駆動伝達切換機構では、アイドラギア２を主動ギア１に対して回動させるために、アイドラギア２と支持基板３０との間にスプリング４を配置する。この際、スプリング４に所定圧を加えた状態でアイドラギア２を設置している。
【００１０】
しかしながら、この構造では、スプリングを用いてアイドラギア２と支持基板３０との間に配置し、さらにスプリングに所定圧が係るように設置しなければならないので、部品点数が増加するとともに製造工程が容易でなく、コストアップとなってしまう。
【００１１】
したがって、この発明の目的は、部品点数を少なくし、且つ容易に製造することができる駆動伝達切換機構と、これを用いたカラープリンタを構成することにある。
【課題を解決するための手段】
【００１２】
この発明は、駆動源からの駆動力が伝達される第１ギアと、該第１ギアから所定距離離れた位置に配置された第２ギアと、第１ギアと噛合するアイドリングギアと、該アイドリングギアと第１ギアとを支持する支持体と、第１ギアの回転によりアイドリングギアに回動用トルクを発生するトルク発生手段と、を備えた駆動伝達切換機構において、トルク発生手段を、アイドリングギアの円周面に所定圧で当接する柔軟性部材とすることを特徴としている。
【００１３】
この構成では、第１ギアがアイドリングギアに噛合するとともに、アイドリングギアが柔軟性部材により第１ギアから外れない所定圧力で押される。これにより、アイドリングギアに第１ギアから回転が伝達されると、アイドリングギアと柔軟性部材との間に発生する摩擦力により、アイドリングギアが第１ギアの円周面に沿って回動する。この際、柔軟性部材が柔軟性があるので、アイドリングギアが円主面に沿って回動しても常時アイドリングギアの当接し続ける。
【００１４】
また、この発明の駆動伝達切換機構は、アイドリングギアを、第１ギアに噛合する駆動力伝達部と、柔軟性部材に当接する部材当接部とを含んで構成することを特徴としている。
【００１５】
この構成では、アイドリングギアが柔軟性部材に部材当接部で当接することで、柔軟性部材が噛合用の歯に直接接触しない。
【００１６】
また、この発明の駆動伝達切換機構は、柔軟性部材を所定硬度の板バネとすることを特徴としている。
【００１７】
この構成では、柔軟性部材が板バネであるので構造が簡素となる。
【００１８】
また、この発明の駆動伝達切換機構は、構成する各部の略全てを覆う筐体を備え、且つ柔軟性部材を筐体に一体形成することを特徴としている。
【００１９】
この構成では、柔軟性部材が筐体と一体形成されることで、部品数が削減される。
【００２０】
また、この発明は、印刷するカラー画像を色分解して、イエロ画像、マゼンタ画像、およびシアン画像の３つの画像を生成する色分解手段と、用紙を用紙搬送路に沿って往復動させる用紙搬送手段と、色分解手段により生成されたイエロ画像、マゼンタ画像、およびシアン画像の３色の画像に応じて、イエロ、マゼンタ、およびシアンの領域が順次現れるインクリボンを用紙の熱転写させる熱転写手段と、インクリボンを所定方向に搬送するリボン搬送手段と、用紙搬送手段に伝達される駆動力をリボン搬送手段に搬送するかどうかを切り換える駆動伝達切換機構と、これらの各部全てを内蔵する筐体とを備えたカラープリンタにおいて、駆動伝達切換機構を、駆動力が伝達されて用紙搬送手段に駆動力を伝達する第１ギア（ａ）と、該第１ギアから所定距離離れた位置に配置され、リボン搬送手段に駆動力を伝達する第２ギア（ｂ）と、第１ギアと噛合するとともに該第１ギアの回転により移動することで第２ギアとの噛合を切り換える駆動力伝達部と、柔軟性部材に当接する部材当接部とを含むアイドリングギア（ｃ）と、アイドリングギアと第１ギアとを支持する支持体（ｄ）と、筐体に一体形成された所定硬度の板バネであり、第１ギアの回転によりアイドリングギアに回動用トルクを発生するトルク発生手段（ｅ）と、を備えたことを特徴としている。
【００２１】
この構成では、前述の駆動伝達切換機構をカラープリンタに適用し、第１ギアを用紙搬送手段の駆動力伝達に用い、第２ギアをリボン搬送手段の駆動力伝達手段に用いる。そして、アイドリングが第１ギアにより回転および回動することで、アイドリングギアと第２ギアとの噛合が制御される。これにより、リボン搬送手段の動作を用紙搬送手段の動作に対して、同期・非同期にする制御が行われる。この結果、用紙の搬送方向に応じてリボンの搬送を行うかどうかが切り換えられる。この際、柔軟性部材を用いることで第１ギアがアイドリングギアに駆動力を伝達するとともにアイドリングギアを第１ギア側に常時所定圧力で押し込み続けられ、アイドリングギアの回転と回動とが行われる。
【発明の効果】
【００２２】
この発明によれば、構造が簡素な柔軟性部材を用いて第１ギアからアイドリングギアへ駆動力を伝達するとともに、アイドリングギアを第１ギアに対して回動可能に固定することができる。これにより、簡素な構造で且つ製造が容易な駆動伝達切換機構を構成することができる。
【００２３】
また、この発明によれば、アイドリングギアの噛合用の歯に柔軟性部材が接触しないので、歯の破損や歯と柔軟性部材との接触による異音の発生を防止することができる。
【００２４】
また、この発明によれば、柔軟性部材が板バネであるので、より簡素な構造で且つ製造が容易な駆動伝達切換機構を構成することができる。
【００２５】
また、この発明によれば、柔軟性部材が筐体と一体形成されているので部品点数が少なくなり、より簡素な構造で且つ製造が容易な駆動伝達切換機構を構成することができる。
【００２６】
また、この発明によれば、前記駆動伝達切換機構を用いることで、用紙の往復搬送とインクリボンの一定方向搬送とを１つのモータで動作させることができるので、簡素な構造で、且つ製造が容易なカラープリンタを構成することができる。
【発明を実施するための最良の形態】
【００２７】
本発明の第１の実施形態に係る駆動伝達切換機構について、図を参照して説明する。なお、以下の説明では、カラープリンタの用紙搬送手段およびインクリボン搬送手段に用いる駆動伝達切換機構について説明する。
【００２８】
図１（ａ）は本実施形態に係る駆動伝達切換機構の概略構成を示す正面図であり、図１（ｂ）はその側面図である。
【００２９】
図１に示すように、駆動伝達切換機構は、本発明の搬送手段に相当する用紙搬送手段の用紙搬送用ローラ（図示せず）に取り付けられた主動ギア１と、該主動ギア１に噛合するアイドラギア２と、主動ギア１から所定距離離れた位置に配置された従動ギア５とを備える。主動ギア１とアイドラギア２とは軸間距離が一定となり、且つ、主動ギア１の軸中心を中心としてアイドラギア２を主動ギア１の円周方向に回動可能に固定する支持部材３により支持されている。支持部材３は、主動ギア１の軸中心に形成された所定径の貫通孔の挿通して主動ギア１を支持基板３０に対して回転可能に軸支する主動軸３１と、アイドラギア２の軸中心に形成された所定径の貫通孔に挿通してアイドラギア２１を支持基板３０に対して回転可能に軸支する副動軸３２と、これら主動軸３１と副動軸３２との軸方向に垂直な面を主面とする支持基板３０とからなる。そして、この支持部材３は、図示しないプリンタの筐体および主動ギア１に対して、主動軸３１の軸を中心として、回動可能に設置されている。
【００３０】
従動ギア５は自身の軸中心に形成された所定径の貫通孔に挿通された従動軸５１によりプリンタの筐体に対して回転可能に軸支されている。また、従動ギア５は本発明のリボン搬送手段に相当するインクリボンカートリッジの軸に設けられたギア（図示）に接続している。
【００３１】
主動ギア１は、円周面に歯の形成されていない基部１１と、該基部１１よりも径が大きく、且つ円周面に歯が形成された駆動力伝達部１２とからなり、基部１１が支持基板３０側となるように設置されている。
【００３２】
アイドラギア２は、円周面に歯の形成されていない基部２１と、該基部２１よりも径が小さく、且つ円周面に歯が形成された駆動力伝達部２２とからなり、基部２１が支持基板３０側となるように設置されている。
【００３３】
そして、主動ギア１の駆動力伝達部１２の円周面に形成された歯と、アイドラギア２の駆動力伝達部２２の円周面に形成された歯とが噛合することで、主動ギア１に伝達された駆動力がアイドラギア２に伝達される。
【００３４】
板バネ４は、本発明の柔軟性部材に相当し、所定硬度で柔軟性を有する平板状の樹脂素材からなり、その一方端付近がアイドラギア２の基部２１の円周面に所定の押圧力で当接している。この板バネ４の他方端は、図示しないプリンタの筐体に接続し、板バネ４と筐体とは一体形成されている。ここで、板バネ４は柔軟性を有するので、所定の曲率半径によりアイドラギア２側を外周側として湾曲した形状となることで、その復元力によりアイドラギア２に所定の押圧力を発生している。
【００３５】
このような構成とすることで、アイドラギア２と板バネ４との間には、アイドラギア２と板バネ４とが当接する間は互いに所定の力が作用する。従って、板バネ４は、アイドラギア２が初期位置（従動ギア５に噛合しない所定位置）と従動ギア５との噛合する位置との間を移動する間、常時アイドラギア２に当接する形状（長さ、設置方向および伸びる方向）で形成されている。
【００３６】
次に、このような構成の駆動伝達切換機構の動作について図２、図３を参照して説明する。
【００３７】
図２、図３は、駆動伝達切換機構の動作状態を示す概略側面図であり、図２は主動ギア１が順方向（用紙を用紙供給側から用紙搬出側に搬送させる方向）に回転する場合を示し、図３は主動ギア１が逆方向（用紙を用紙搬出側から用紙供給側に搬送させる方向）に回転する場合を示す。そして、図２（ａ）はアイドラギア２が従動ギア５に近接していく状態を示し、図２（ｂ）はアイドラギア２が従動ギア５に噛合している状態を示す。また、図３（ａ）はアイドラギア２が従動ギア５に噛合している状態を示し、図３（ｂ）はアイドラギア２が従動ギア５から離間していく状態を示す。
【００３８】
まず、主動ギア１に図示しないモータから駆動力が伝達されると、主動ギア１が順方向に回転する。主動ギア１が順方向に回転することにより、主動ギア１と同軸に取り付けられた用紙搬送ローラ（図示せず）が順方向に回転する。
【００３９】
主動ギア１が順方向に回転することにより、該主動ギア１に噛合するアイドラギア２が回転して駆動力が伝達される。ここで、アイドラギア２が板バネ４に当接し、板バネ４からアイドラギア２に所定の押圧力（復元力）が作用していることで、アイドラギア２の回転とともに、アイドラギア２と支持基板３０とが主動ギア１の軸を回動中心として回動する。そして、アイドラギア２が従動ギア５に当接して、アイドラギア２の歯と従動ギア５の歯とが噛合すると、アイドラギア２の回動が停止して、アイドラギア２の回転が従動ギア５に伝達されて従動ギア５がリボン搬送順方向（インクリボンを供給側から巻き取り側に搬送させる方向）に回転する。
【００４０】
例えば、図２に示すように、主動ギア１が支持基板３０側から見て時計回り（順方向）に回転する場合に、アイドラギア２は反時計回りに回転するとともに、板バネ４の復元力によりアイドラギア２が主動ギア１の円周に沿って時計回り方向に回動する（図２（ａ））。そして、アイドラギア２が従動ギア５に噛合すると、従動ギア５が時計回りに回転する（図２（ｂ））。そして、従動ギア５はインクリボンカートリッジの軸に噛合しているので、この回転により、インクリボンカートリッジの軸は反時計回りに回転する。インクリボンカートリッジの軸が反時計回りに回転することにより、インクリボンがリボン搬送順方向に搬送される。すなわち、用紙を順方向（用紙供給側から用紙搬出側）に搬送するのと同期してインクリボンをリボン搬送順方向に搬送することができる。
【００４１】
一方、主動ギア１に図示しないモータから前述の状態と逆の駆動力が伝達されると、主動ギア１が前述とは逆方向に回転する。主動ギア１が逆方向に回転することにより、主動ギア１と同軸に取り付けられた用紙搬送ローラ（図示せず）が逆方向（用紙を用紙搬出側から用紙供給側に搬送させる方向）に回転する。
【００４２】
主動ローラ１が逆方向に回転することにより、該主動ローラ１に噛合するアイドラギア２が回転して駆動力が伝達される。ここで、アイドラギア２が板バネ４に当接し、板バネ４からアイドラギア２に所定の押圧力が作用していることで、アイドラギア２の回転とともに、アイドラギア２と支持基板３０とが主動ギア１の軸を回動中心として前述とは逆方向に回動する。この際、板バネ４はより反る方向に変形するため潜在する復元力が増加するが、アイドラギア２の移動により発生する押圧力がこの復元力よりも高くなるように板バネ４の柔軟性を設定しておくことで、アイドラギア２は問題なく回動する。このように、アイドラギア２が逆方向に回転することにより、アイドラギア２が従動ギア５から離間して、従動ギア５の回転が停止する。そして、アイドラギア２は、主動ギア１に対して所定位置まで回動すると停止して、この停止位置で回転を続ける。
【００４３】
例えば、図３に示すように、主動ギア１が支持基板３０側から見て反時計回り（逆方向）に回転する場合に、アイドラギア２と板バネ４との間に相互に力が作用するため、アイドラギア２は時計回りに回転するとともに、反時計回り方向に回動し始める（図３（ａ））。そして、アイドラギア２が回動して従動ギア５から離間すると、従動ギア５の回転が停止し、アイドラギア２は主動ギア１の軸中心を回動中心として、時計回りに回転しながらが反時計回りに回動する（図３（ｂ））。このような構成とすることで、用紙を逆方向（用紙搬出側から用紙供給側）に搬送する場合には、インクリボンが搬送されない。
【００４４】
以上のような構成とすること、用紙を順方向に搬送する場合にはインクリボンを搬送し、用紙を逆方向に搬送する場合にはインクリボンの搬送を停止することができる。すなわち、１つのモータで２つの駆動の切換制御を行う駆動伝達切換機構を構成することができる。そして、前述の構成を用いることにより、構造が簡素な板バネのみにより主動ギアに対してアイドラギアを回転、回動させることができるので、駆動伝達切換機構を簡素な構造で構成することができ、さらに製造工程が簡素化されて容易に駆動伝達切換機構を形成することができる。特に、板バネが前述のように筐体と一体形成されている場合には、より簡素な構造で製造が容易な駆動伝達切換機構を形成することができる。
【００４５】
次に、第２の実施形態に係るカラープリンタについて説明する。
【００４６】
図４は、本発明の実施形態であるカラープリンタの主要部の構成を示すブロック図である。
【００４７】
この実施形態のカラープリンタ１００は、本体の動作を制御部１０１と、印刷するカラー画像の入力を受け付ける画像入力部１０２と、画像入力部１０２に入力されたカラー画像を色分解して、イエロ画像（以下、Ｙ画像と言う。）、マゼンタ画像（以下、Ｍ画像と言う。）、およびシアン画像（以下、Ｃ画像と言う。）の３つの画像を生成する入力画像処理部１０３と、用紙を搬送する搬送部１０４と、搬送部１０４が搬送している用紙にＹ画像、Ｍ画像、およびＣ画像を重ねて印刷する印刷部１０５とを備えている。ここで、印刷部１０５が本発明のリボン搬送手段および熱転写手段に相当する。
【００４８】
画像入力部１０２には、ディジタルカメラで撮像した撮像画像や、スキャナ等で読み取った読取画像が入力される。入力画像処理部１０３は、入力された画像を色分解して、Ｙ画像、Ｍ画像、およびＣ画像を生成する。印刷部１０５は、インクリボンを用いてカラー画像を用紙に印刷する。このインクリボンは、用紙の搬送方向の長さ毎に、イエロ、マゼンタ、シアン、およびオーバコートの各インク層を繰り返し形成したものである。印刷部１０５は、用紙にＹ画像を印刷し、次に印刷したＹ画像にＭ画像を重ねて印刷し、そして印刷したＹ画像およびＭ画像に重ねてＣ画像を印刷し、最後に用紙全体にオーバコートを施してカラー画像を印刷を完了する。このように、印刷部１０５がＹ画像、Ｍ画像、Ｃ画像を別々の印刷工程で印刷する構成であるので、搬送部１０４は用紙搬送路に用紙を往復搬送できるように構成されている。一方、印刷部１０５のインクリボン搬送部は、インクリボンが前述のように各インク層が順に繋がる構造であるので、インクリボンを一定方向にのみ搬送するように構成されている。そして、搬送部１０４と前記インクリボン搬送部とは１つのモータにより駆動されている。ここで、この駆動系に前述の駆動伝達切換機構を用いることにより、前述の用紙の搬送とインクリボンの搬送とを簡素な構造で実現することができる。すなわち、簡素な構造のカラープリンタを構成することができる。
【００４９】
なお、前述の説明では、駆動伝達切換機構をカラープリンタに適用した構成について示したが、カラープリンタに限ることなく、２つの駆動系を同期、非同期させて１つの駆動源で駆動する構造の装置であれば、前述の駆動伝達切換機構を適用することができ、前述の効果を奏することができる。
【図面の簡単な説明】
【００５０】
【図１】第１の実施形態に係る駆動伝達切換機構の概略構成を示す正面図および側面図
【図２】駆動伝達切換機構の主動ギア１が時計回りに回転する場合の動作状態を示す概略側面図
【図３】駆動伝達切換機構の主動ギア１が反時計回りに回転する場合の動作状態を示す概略側面図
【図４】第２の実施形態であるカラープリンタの主要部の構成を示すブロック図
【図５】従来の駆動伝達切換機構の概略構成を示す正面図および側面図
【符号の説明】
【００５１】
１−主動ギア
１１−主動ギア１の基部
１２−主動ギア１の駆動力伝達部
２−アイドラギア
２１−アイドラギア２の基部
２２−アイドラギア２の駆動力伝達部
３−支持部材
３０−支持基板
３１−主動軸
３２−副動軸
４−板バネ
５−従動ギア
５１−従動軸
１００−カラープリンタ
１０１−制御部
１０２−画像入力部
１０３−入力画像処理部
１０４−搬送部
１０５−印刷部
【図１】
2006015685.tif 000003
【図２】
2006015685.tif 000004
【図３】
2006015685.tif 000005
【図４】
2006015685.tif 000006
【図５】
2006015685.tif 000007